(57)【要約】【課題】光ファイバユニットの識別を確実にできるようにして、効率的な光ファイバの識別作業を可能にすることが可能な光ファイバケーブルを提供すること。【解決手段】光ファイバケーブル１０は、それぞれ２心以上の光ファイバ２０をバンドル糸で巻き付けて構成した光ファイバユニット２１を３つ以上有し、光ファイバユニット２１のそれぞれに対して、右回りまたは左回りに巻き付けた仕切り部２３を有する。仕切り部２３は、光ファイバユニット２１に対して決められた所定の順序において隣接する光ファイバユニット２１の間で巻き付け方向が逆になるように巻き付けられる。【選択図】図１
2017161780.tif 000002
【特許請求の範囲】
【請求項１】
それぞれ２心以上の光ファイバをバンドル糸で巻き付けて構成した光ファイバユニットを３つ以上具備した光ファイバケーブルにおいて、
前記光ファイバユニットのそれぞれに対して、右回りまたは左回りに巻き付けた仕切り部を具備し、
前記仕切り部は、前記光ファイバユニットに対して決められた所定の順序において隣接する前記光ファイバユニットの間で巻き付け方向が逆になるようにしたことを特徴とする光ファイバケーブル。
【請求項２】
前記仕切り部は、前記光ファイバユニットに対して、ケーブル軸方向に間欠的に巻き付けられたことを特徴とする請求項１記載の光ファイバケーブル。
【請求項３】
前記仕切り部は、前記光ファイバユニットのそれぞれに対して巻き付けた第１の仕切り部と、前記第１の仕切り部と逆方向に前記光ファイバユニットのそれぞれに巻き付けた第２の仕切り部とを含み、
前記第１の仕切り部と前記第２の仕切り部とを連結させた連結部を設けたことを特徴とする請求項１記載の光ファイバケーブル。
【請求項４】
それぞれ２心以上の光ファイバをバンドル糸で巻き付けて構成した光ファイバユニットを３つ以上具備した光ファイバケーブルにおいて、
第１の光ファイバユニットに対して巻き付けた第１の仕切り部、及び第２の光ファイバユニットに対して巻き付けた第２の仕切り部と、
前記第１の仕切り部と前記第２の仕切り部とを連結させた連結部を設けたことを特徴とる光ファイバケーブル。
【請求項５】
前記連結部は、前記第１の仕切り部と前記第２の仕切り部とが交差する部分に、前記光ファイバユニットの長手方向にスライド自在なリングを装着して形成したことを特徴とする請求項３または請求項４記載の光ファイバケーブル。
【請求項６】
前記連結部は、前記第１の仕切り部と前記第２の仕切り部とが交差する部分を互いに絡めて形成したことを特徴とする請求項３または請求項４記載の光ファイバケーブル。
【発明の詳細な説明】
【技術分野】
【０００１】
本発明は、光ファイバケーブルに関する。
【背景技術】
【０００２】
現在、光通信における通信媒体として、光ファイバケーブルが広く用いられている。光ファイバケーブルの構造はその用途によって様々であり、例えば、通信事業者の局に近い区間においては、ユーザに配線する多くの光ファイバが集中するため、多心の光ファイバケーブルが用いられている（例えば、特許文献１）。
【０００３】
光ファイバケーブルは、電柱に架渉されるほかに、地下の管路やビル内の配管棟に布設されるが、近年の光ファイバ通信需要の急激な増大に伴い、一つの管路や配管などに複数本の光ファイバケーブルを布設する工法が用いられている。しかし、管路内に既に布設されている光ファイバケーブルの外径が大きい場合、管路内の残存スペースが小さくなるため、光ファイバケーブルを追加布設できない事がある。そのため、より細径・高密度な構造の光ファイバケーブルが必要となっている。最近では、複数本（心）の光ファイバを高密度に集合した構造の光ファイバケーブルが提案されている（例えば、特許文献２、非特許文献１）。
【０００４】
ところで、通信事業者の局から発出された信号を所定のユーザへ送信するため、光ファイバケーブル内のそれぞれの光ファイバには識別用の番号が存在する。局からユーザ建物までの区間には複数の接続部が存在するため、その全ての接続部で、所定の光ファイバ同士を選んで接続する必要がある。そのため、光ファイバには、番号の識別作業を容易にするため、番号によって異なる着色が施されている。さらに、光ファイバを適当な心数ごとに束ねることで光ファイバユニットを構成している。光ファイバユニットが複数存在する場合は、各光ファイバユニットを識別するため、それぞれ異なる色で着色されたバンドル糸が巻き付けられている（例えば、特許文献３）。
【０００５】
さて、例えば特許文献２に記載の光ファイバケーブルは、光ファイバを高密度に実装するため、光ファイバユニットを整列することなく集合している。従って、光ファイバユニットの識別は、バンドル糸の色を確認することでのみなされる。
【先行技術文献】
【特許文献】
【０００６】
【特許文献１】特開昭６２−９８３１３号公報
【特許文献２】特許第４７７４３３７号公報
【特許文献３】特開２００３−３０２５６０号公報
【非特許文献】
【０００７】
【非特許文献１】Proceedings of the 62nd IWCS Conference, p.592-596, 2013.
【発明の概要】
【発明が解決しようとする課題】
【０００８】
しかし、光ファイバケーブルに対して口出し処理して、光ファイバユニットの端部を露出させた場合、バンドル糸は、光ファイバユニットのそれぞれに個別に巻き付けられているだけであるためユニットからほどける可能性がある。もし、２つ以上の光ファイバユニットのバンドル糸がほどけた場合、バンドル糸をもとに光ファイバユニットを識別することができなくなってしまう。こうした場合、外被を更に除去してバンドル糸が巻き付いている領域まで光ファイバユニットを露出させなければならない。もし、これ以上、外被を除去できない場合は、バンドル糸を利用した光ファイバユニットの識別が不可能となるという問題があった。
【０００９】
そのため、光ファイバユニットの識別を確実にできるようにして、効率的な光ファイバの識別作業を可能にする光ケーブルが求められていた。
【００１０】
本発明は前述した事情に考慮してなされたもので、その目的は、光ファイバユニットの識別を確実にできるようにして、効率的な光ファイバの識別作業が可能な光ファイバケーブルを提供することにある。
【課題を解決するための手段】
【００１１】
本発明は、上記の課題を解決するために、以下のような手段を講じている。  
本発明の第１の態様は、それぞれ２心以上の光ファイバをバンドル糸で巻き付けて構成した光ファイバユニットを３つ以上具備した光ファイバケーブルにおいて、前記光ファイバユニットのそれぞれに対して、右回りまたは左回りに巻き付けた仕切り部を具備し、前記仕切り部は、前記光ファイバユニットに対して決められた所定の順序において隣接する前記光ファイバユニットの間で巻き付け方向が逆になるようにしたことを特徴とする。
【発明の効果】
【００１２】
本発明によれば、光ファイバユニットの識別を確実にできるようにして、効率的な光ファイバの識別作業が可能となる。
【図面の簡単な説明】
【００１３】
【図１】第１実施形態に係る光ファイバケーブルの構造を示す図。
【図２】第１実施形態における光ファイバケーブルの光ファイバユニットを識別するための操作方法を示す図。
【図３】第２実施形態の光ファイバケーブルに含まれる光ファイバユニットの概略構成を示す外観図。
【図４】第３実施形態の光ファイバケーブル（光ファイバユニット）の概略構成を示す外観図。
【図５】第４実施形態の変形例の光ファイバケーブル（光ファイバユニット）の概略構成を示す外観図。
【図６】第５実施形態の光ファイバケーブル（光ファイバユニット）の概略構成を示す外観図。
【発明を実施するための形態】
【００１４】
以下、図面を参照して本発明の実施の形態について説明する。  
（第１実施形態）  
図１は、第１実施形態に係る光ファイバケーブル１０の構造を示す図であり、図１（Ａ）は、光ファイバケーブル１０の断面図、図１（Ｂ）は、光ファイバケーブル１０に含まれる光ファイバユニット２１の概略構成を示す外観図である。光ファイバケーブル１０は、例えば、それぞれ２心以上の光ファイバ２０をバンドル糸で巻き付けて構成した３つ以上の光ファイバユニット２１を有している。図１に示す例では、光ファイバケーブル１０は、３つの光ファイバユニット２１−１，２１−２，２１−３を有しており、光ファイバユニット２１−１，２１−２，２１−３には、それぞれ所定の複数心数（２以上）の光ファイバ２０が集合されている。光ファイバユニット２１−１，２１−２，２１−３には、所定の順序が決められており、その順序を識別するためにそれぞれ異なる色のバンドル糸が縦添えされている。光ファイバユニット２１−１，２１−２，２１−３は、可撓性を確保するための適当な撚りが加えられており、その周囲が外力から保護するための外被２４で覆われている。外被２４の内部には、例えば鋼線などからなる抗張力体２５が埋め込まれている。
【００１５】
第１実施形態の光ファイバケーブル１０には、さらに、複数の光ファイバユニット２１−１，２１−２，２１−３を取り囲むように仕切り部２３（２３−１，２３−２，…）が実装されている。仕切り部２３は、例えば糸状あるいはテープ状など一体のバンドル材により形成されている。図１では、糸状のバンドル材により形成された仕切り部２３の例を示している。また、仕切り部２３の構成を規定する幅や厚さ、ヤング率などの値については、必要に応じて任意に設計することができる。
【００１６】
仕切り部２３は、１本あたり１つの光ファイバユニット２１に巻き付けられるバンドル糸と異なり、複数の光ファイバユニット２１−１，２１−２，２１−３に対して、予め決められた光ファイバユニット２１−１，２１−２，２１−３の順序に従って巻き付けられる。例えば、光ファイバユニット２１−１，２１−２，２１−３に対して、光ファイバユニット２１−１は１番目、光ファイバユニット２１−２は２番目、光ファイバユニット２１−３は３番目として順序が決められているものとする。この場合、仕切り部２３は、光ファイバユニット２１−１には左回り、光ファイバユニット２１−２には右回り、光ファイバユニット２１−３には左回りに巻き付けられる。すなわち、光ファイバケーブル１０では、１本の仕切り部２３が複数の光ファイバユニット２１−１，２１−２，２１−３に巻き付けられ、その取り囲む（巻き付ける）方向が、ある光ファイバユニット２１の軸方向に対して右回りならば、その次の順序の光ファイバユニット２１には左回りとなるように、予め決められた所定の順序において隣接する光ファイバユニット２１の間で巻き付け方向が逆になるようにしている。また、仕切り部２３は、一方の端部が先頭（１番目）の光ファイバユニット２１−１から巻き初められ、他方の端部が最後（３番目）の光ファイバユニット２１−３において巻き終えられている。
【００１７】
また、図１（Ｂ）に示すように、光ファイバユニット２１には、ケーブル軸方向（長手方向）に亘って、複数の仕切り部２３−１，２３−２，…が間欠的に巻き付けられる。複数の仕切り部２３−１，２３−２，…は、例えば等間隔に配置しても良いし、不等間隔に配置しても良い。また、複数の仕切り部２３−１，２３−２，…を配置する間隔を密または疎にした範囲を混在させて設けるようにしても良い。こうして、仕切り部２３を複数の光ファイバユニット２１−１，２１−２，２１−３に巻き付けることにより、光ファイバユニット２１−１，２１−２，２１−３を緩やかに一体化させることができる。
【００１８】
なお、図１（Ｂ）に示す仕切り部２３は、光ファイバユニット２１の軸方向に対して斜め方向に巻き付けた例を示しているが、光ファイバユニット２１の軸方向に対してほぼ垂直とする向きに巻き付けても良い。仕切り部２３を斜め方向に巻き付けることにより、仕切り部２３が巻き付けられた範囲が広くなることから、口出し処理によって外被２４を除去した時に仕切り部２３を見つけやすくすることができる。一方、仕切り部２３を垂直とする向きに巻き付けることにより、仕切り部２３が巻き付けられた範囲が狭くなるため、仕切り部２３の全体を露出させるために除去する外被２４の範囲を狭くすることができる。
【００１９】
図２（Ａ）（Ｂ）は、第１実施形態における光ファイバケーブル１０の光ファイバユニット２１を識別するための操作方法を示す。例えば中間後分岐する際には、光ファイバケーブル１０に含まれる複数の光ファイバユニット２１−１，２１−２，２１−３を識別し、さらに光ファイバユニット２１から必要な光ファイバ２０を見つけるための心線識別をする必要がある。
【００２０】
まず、光ファイバケーブル１０に口出し処理して外被２４を除去する。これにより、図２（Ａ）に示すように、複数の光ファイバユニット２１−１，２１−２，２１−３と、光ファイバユニット２１−１，２１−２，２１−３に巻き付けられた仕切り部２３を露出させる。仕切り部２３は、複数の光ファイバユニット２１−１，２１−２，２１−３に対して、前述したように右巻きと左巻きを交互にして巻き付けているため、光ファイバユニット２１−１，２１−２，２１−３を露出しても解けにくい。ここで、仕切り部２３の両端部を保持して、図２（Ａ）中に示す矢印方向に広げる。
【００２１】
この結果、複数の光ファイバユニット２１−１，２１−２，２１−３は、仕切り部２３によって緩やかに一体化されているため、図２（Ｂ）に示すように、一列に予め決められた順序で整列される。すなわち、仕切り部２３の一方の端部側から１〜３番目（あるいは３〜１番目）の順序で光ファイバユニット２１−１，２１−２，２１−３が整列されるため個々の光ファイバユニット２１を容易かつ確実に識別することができ、効率的な心線識別をすることが可能となる。
【００２２】
なお、前述した説明では、１本の仕切り部２３を複数の光ファイバユニット２１に対して１重で巻き付けているが、軸方向の同じ位置（あるいは近傍）で２本以上の仕切り部２３を巻き付けるようにしても良い。この場合、例えば、１本目の仕切り部２３による各光ファイバユニット２１の巻き方向と、２本目の仕切り部２３の巻き方向を逆回りにしても良い。さらに、１本目と２本目の仕切り部２３を逆方向に巻き付けた場合に、それぞれが交差する部分を連結することで、外被２４を除去した後に光ファイバユニット２１から仕切り部２３が脱落することを防止すようにしても良い。２本の仕切り部２３を連結する方法としては、仕切り部２３を接着材により接着する、連結するための部材により仕切り部２３を接続する、あるいは仕切り部２３同士を絡めるようにしても良い。
【００２３】
また、前述した構成では、光ファイバユニット２１の識別用に仕切り部２３のみを設けるとしているが、別途、識別用のバンドル糸を光ファイバユニット２１に縦添えするようにしても良い。これにより、仕切り部２３が脱落したとしても心線識別を可能にすることができる。
【００２４】
（第２実施形態）  
次に、第２実施形態に係る光ファイバケーブル１０について説明する。図３は、第２実施形態の光ファイバケーブル１０に含まれる光ファイバユニット２１の概略構成を示す外観図である。第２実施形態の光ファイバケーブル１０は、第１実施形態における光ファイバケーブル１０とは異なる形状の仕切り部３３（３３−１，３３−２，３３−３）を設けたものであり、その他の構成については第１実施形態と同じものとして説明を省略する。
【００２５】
図３において、複数の光ファイバユニット２１−１，２１−２，２１−３には、複数の仕切り部３３−１，３３−２，３３−３が巻き付けられている。仕切り部３３−１は、第１実施形態の仕切り部２３と同様にして、複数の光ファイバユニット２１に対して、巻き付ける方向を光ファイバユニット２１毎に逆方向にしている。第２実施形態では、さらに光ファイバユニット２１−１〜２１−３に対して、２番目の光ファイバユニット２１−２から巻き初めて、仕切り部３３−１とは逆方向に光ファイバユニット２１−２，２１−１に巻き付けた仕切り部３３−２と、３番目の光ファイバユニット２１−３から巻き初めて、仕切り部３３−１とは逆方向に光ファイバユニット２１−３，２１−２に巻き付けた仕切り部３３−３とを巻き付けている。仕切り部３３−１，３３−２，３３−３は、それぞれ光ファイバユニット２１の軸方向に対して斜め方向に巻き付けている。
【００２６】
さらに、仕切り部３３−１，３３−２，３３−３は、それぞれ他の仕切り部３３−１，３３−２，３３−３と交差する（接触する）部分で接着することで固定した連結部３４（３４−１，３４−２，３４−３，３４−４）が設けられている。すなわち、連結部３４−１は、仕切り部３３−２，３３−３を連結し、連結部３４−２は、仕切り部３３−１，３３−２を連結し、連結部３４−３は、仕切り部３３−１，３３−３を連結し、連結部３４−４は、仕切り部３３−２，３３−３を連結している。なお、仕切り部３３−１，３３−２，３３−３は、互いに交差する部分の全てにおいて連結するだけでなく、少なくとも１箇所に連結部を設けて連結すれば良い。
【００２７】
このように、第２実施形態の光ファイバケーブル１０では、互いに連結された複数の仕切り部３３を光ファイバユニット２１に巻き付けている。従って、複数の仕切り部３３は、外被２４を除去して一部を露出させることができれば、その一部をたどって容易に探索することができる。複数の仕切り部３３は、それぞれ第１実施形態における仕切り部２３の構造に相当するため、仕切り部３３を利用して第１実施形態と同様にして複数の光ファイバユニット２１を整列させることができ、個々の光ファイバユニット２１を容易かつ確実に識別して、効率的な心線識別をすることが可能となる。
【００２８】
なお、仕切り部３３を光ファイバユニット２１に巻き付ける間隔（ピッチ）や、連結部３４における仕切り部３３を接着する強さなどは、適宜、調整して実施することが可能である。
【００２９】
（第３実施形態）  
次に、第３実施形態に係る光ファイバケーブル１０について説明する。図４（Ａ）（Ｂ）は、第３実施形態の光ファイバケーブル１０（光ファイバユニット２１）の概略構成を示す外観図である。第３実施形態の光ファイバケーブル１０は、第２実施形態の仕切り部３３（３３−１，３３−２，３３−３）と同様にして、複数の仕切り部４３（４３−１，４３−２，４３−３）を設けたものである。複数の仕切り部４３（４３−１，４３−２，４３−３）は、それぞれ他の仕切り部４３−１，４３−２，４３−３と交差する（接触する）部分にリングを装着することで連結した連結部４４（４４−１，４４−２，４４−３，４４−４）が設けられている。その他の構成については第１実施形態と同じものとして説明を省略する。なお、仕切り部４３−１，４３−２，４３−３は、互いに交差する部分の全てにおいて連結するだけでなく、少なくとも１箇所に連結部４４（リング）を設けて連結すれば良い。
【００３０】
第３実施形態では、仕切り部４３−１，４３−２，４３−３をリングにより連結した連結部４４を設けることにより、連結部４４を光ファイバユニット２１の軸方向にスライド自在となるようにしている。例えば、図４（Ａ）に示すように、複数の光ファイバユニット２１に対して仕切り部４３−１，４３−２，４３−３が巻き付けられた状態において、光ファイバユニット２１の端部近くの外被２４の一部を残して、連結部４４が露出されるように外被２４を除去する。この状態において、図４（Ｂ）に示すように、仕切り部４３−１，４３−２，４３−３の端部を保持して、光ファイバユニット２１の端部に残した外被２４に向けて引っ張ると、連結部４４−１，４４−２，４４−３，４４−４がスライド可能となっているため、外被２４の近くに全ての仕切り部４３−１，４３−２，４３−３が移動する。この結果、複数の仕切り部４３−１，４３−２，４３−３が外被２４の近くで取りまとめられる。
【００３１】
ここで、光ファイバユニット２１の端部に残した外被２４を除去して、光ファイバユニット２１を識別するために特定の光ファイバユニット２１を意図せずに過度な力により引き離す操作を行ったとしても、複数の仕切り部４３−１，４３−２，４３−３が光ファイバユニット２１の端部近くでまとめられた状態にあるため、連結部４４−１，４４−２，４４−３，４４−４及び仕切り部４３−１，４３−２，４３−３が分離されにくく、作業効率の低下を防ぐことができる。このため、第２実施形態と同様にして、複数の光ファイバユニット２１を整列させて、個々の光ファイバユニット２１を容易かつ確実に識別して、効率的な心線識別をすることが可能となる。
【００３２】
（第４実施形態）  
次に、第４実施形態に係る光ファイバケーブル１０について説明する。第３実施形態では、仕切り部４３−１，４３−２，４３−３を互いに連結するためにリングを装着して、連結部４４−１，４４−２，４４−３，４４−４を形成しているが、第４実施形態では、連結部を形成するために接着材やリングなどの部材を用いない構成とする。
【００３３】
なお、第４実施形態の光ファイバケーブル１０は、第３実施形態の仕切り部４３−１，４３−２，４３−３と同様に光ファイバユニット２１に仕切り部が装着されるものとして図示を省略する。ただし、第４実施形態では、第３実施形態に示す仕切り部４３−１，４３−２，４３−３の互いに交差する部分において、相互に絡めることによって連結部を形成する。例えば、仕切り部４３−１，４３−２，４３−３の交差する部分において互いに少なくとも１重に巻き付ける。これにより、他の部材などを用いることなく仕切り部４３−１，４３−２，４３−３を相互に連結することができる。なお、第３実施形態と同様に、仕切り部４３−１，４３−２，４３−３が互いに交差する部分の全てにおいて連結するだけでなく、少なくとも１箇所に連結部を設けて連結すれば良い。
【００３４】
第４実施形態の光ファイバケーブル１０では、第３実施形態と同様の効果に加えて、結合部を設けるために仕切り部（バンドル材）以外の部材を光ファイバケーブル１０（外被２４）内の空間に追加する必要が無いので、光ファイバケーブル１０の曲げによる損失増加を抑制することができるという効果が得られる。
【００３５】
図５（Ａ）（Ｂ）は、第４実施形態の変形例の光ファイバケーブル１０（光ファイバユニット２１）の概略構成を示す外観図である。図５（Ａ）（Ｂ）に示す第４実施形態（変形例）の光ファイバケーブル１０は、光ファイバユニット２１−１，２１−２，２１−３に対して、それぞれ個別に仕切り部４３−１，４３−２，４３−３を順番に逆方向に巻き付けている。そして、所定の順序で隣り合う光ファイバユニット２１に巻き付けられた仕切り部４３−１，４３−２，４３−３同士を、互いに内側（光ファイバユニット２１側）を通るように交差させている。
【００３６】
すなわち、図５（Ａ）に示すように、１番目の光ファイバユニット２１−１に巻き付けられた仕切り部４３−１と２番目の光ファイバユニット２１−２に巻き付けられた仕切り部４３−２とを互いに交差させることで連結部（交差部）５４−２，５４−４を形成し、２番目の光ファイバユニット２１−２に巻き付けられた仕切り部４３−２と３番目の光ファイバユニット２１−３に巻き付けられた仕切り部４３−３とを互いに交差させることで連結部（交差部）５４−１，５４−３を形成している。この結果、図５（Ｂ）に示すように、第３実施形態において説明した図４（Ｂ）と同様に仕切り部４３−１〜４３−３を取り扱うことが可能となる。
【００３７】
図５に示す変形例では、光ファイバユニット２１に対して個々に仕切り部４３を巻き付けているが、所定の順序で隣り合う光ファイバユニット２１に巻き付けられた仕切り部４３−１，４３−２，４３−３同士を交差させて連結部（交差部）を形成することで、図４に示すように、１本の仕切り部４３により複数の光ファイバユニット２１に対して巻き方向を交互に逆方向にして巻き付ける構成と実質同じ作用効果を得ることができる。
【００３８】
（第５実施形態）  
次に、第５実施形態に係る光ファイバケーブル１０について説明する。第４実施形態の変形例では、複数の光ファイバユニット２１−１，２１−２，２１−３に対して、それぞれ個別に仕切り部を順番に逆方向に巻き付けているが、第５実施形態では、複数の光ファイバユニット２１−１，２１−２，２１−３に対して、個別に仕切り部を同じ方向に巻き付けている。
【００３９】
図６（Ａ）（Ｂ）は、第５実施形態の光ファイバケーブル１０（光ファイバユニット２１）の概略構成を示す外観図である。図６（Ａ）（Ｂ）に示す第５実施形態の光ファイバケーブル１０は、光ファイバユニット２１−１，２１−２，２１−３に対して、それぞれ個別に同じ方向に仕切り部６３−１，６３−２，６３−３を巻き付けている。そして、所定の順序で隣り合う光ファイバユニット２１に巻き付けられた仕切り部６３−１，６３−２，６３−３同士を、互いに内側（光ファイバユニット２１側）を通るように交差させている。すなわち、前述した図５に示す第４実施形態の変形例と同様にして連結部（交差部）７４−１，７４−２，７４−３，７４−４を形成している。この結果、図６（Ｂ）に示すように、第３実施形態において説明した図４（Ｂ）と同様に仕切り部４３−１〜４３−３を取り扱うことが可能となる。
【００４０】
図６に示す構成では、光ファイバユニット２１に対して個々に仕切り部６３−１，６３−２，６３−３を同じ方向で巻き付けているが、所定の順序で隣り合う光ファイバユニット２１に巻き付けられた仕切り部６３−１，６３−２，６３−３同士を交差させて連結部（交差部）を形成することで、図６（Ａ）に示す仕切り部８０−１，８０−２の部分により、図４に示す１本の仕切り部４３により複数の光ファイバユニット２１に対して巻き方向を交互に逆方向にして巻き付ける構成と実質同じ作用効果を得ることができる。
【００４１】
なお、図５及び図６に示す光ファイバケーブル１０（光ファイバユニット２１）では、仕切り部を交差させることで連結部を形成しているが、前述した接着材、リングを用いる、あるいは互いに１重以上で巻き付けることで連結部を形成することも可能である。
【００４２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００４３】
１０…光ファイバケーブル、２１…光ファイバユニット、２３，３３，４３，８０…仕切り部、２４…外被、２５…抗張力体。
【図１】
2017161780.tif 000003
【図２】
2017161780.tif 000004
【図３】
2017161780.tif 000005
【図４】
2017161780.tif 000006
【図５】
2017161780.tif 000007
【図６】
2017161780.tif 000008